(57)【要約】　　　（修正有）【課題】騒音を低減し、粉砕物の飛散を防止し、刃物の耐久性を向上させ、ブレーカーの遮断に注意する必要のない破砕機を提供する。【解決手段】粉砕すべき被破砕物を装入するホッパー１と、前記ホッパー１下方に設けられ、粉砕された被破砕物６を排出する排出用すべり台５と、前記ホッパー１下部と前記排出用すべり台５上部の間において、被破砕物６を粉砕する二枚の刃を持つ回転刃であって、回転平面の半径方向に沿って中心部から外周部に向って刃の部分が形成されているせん断回転刃２と、前記回転刃を回転させる駆動源とを備えたことを特徴とする破砕機を、解決手段とする。【選択図】図６
2004057838.tif 000002
【特許請求の範囲】
【請求項１】
粉砕すべき被破砕物を装入するホッパー１と、前記ホッパー１下方に設けられ、粉砕された被破砕物６を排出する排出用すべり台５と、前記ホッパー１下部と前記排出用すべり台５上部の間において、被破砕物６を粉砕する二枚の刃を持つ回転刃であって、回転平面の半径方向に沿って中心部から外周部に向って刃の部分が形成されているせん断回転刃２と、前記回転刃を回転させる駆動源とを備えたことを特徴とする破砕機。
【請求項２】
前記せん断回転刃２の刃数が、三または四枚持つことを特徴とする請求項１記載の破砕機。
【請求項３】
前記せん断回転刃２の刃部分の形状が、刃の長さ方向に沿って三角状刃または波形状刃、さらには鎌形状刃であることを特徴とする請求項１または請求項２記載の破砕機。
【請求項４】
前記せん断回転刃２の回転数を毎分９００回転または毎分６００回転のモーター（駆動源）４を使用したことを特徴とする請求項１、２または請求項３記載の破砕機。
【発明の詳細な説明】
【０００１】
【発明が属する技術分野】
本発明は、主として庭木のせん定枝を粉砕する家庭用の破砕機に関するものである。
【０００２】
【従来の技術】
一般家庭において、庭木のせん定によって排出される枝を粉砕するための破砕機では、粉砕時の騒音が少なく近隣に迷惑をかけないこと、作業性が良く被破砕物の飛散などなく老若男女を問わず安全に粉砕できること、粉砕後のチップを庭にて自然への回帰を促す堆肥化が可能な大きさに粉砕できること、家庭内にある他の機器に支障を与えることなく家庭用の電源が使用できることが重要である。
【０００３】
これまで、せん定枝を粉砕する家庭用破砕機の主たる構成は、出力１３００Ｗのモーターを家庭用コンセントで使用していたこと、１〜２枚の直線刃を直径約２５０ｍｍの回転円盤上に直線刃部が常時回転方向と直角方向になるように取付けた回転刃体を使用していたこと、１分間に約３０００回の高速で回転させその回転力にてせん定枝を粉砕していたことである。
【０００４】
【発明が解決しようとする課題】
しかしながら、上記の破砕機では、回転刃体の周速度は秒速３０ｍすなわち時速１００ｋｍ以上にもなっているため、この家庭用破砕機を住宅街で使用すると騒音が大きく近隣に迷惑をかけること、粉砕物の飛散が激しく使用者に危険を感じさせるという問題点がある。
【０００５】
さらには、１〜２枚の直線状でかつ鋭い刃先をもつ回転刃体により高速切断するため、刃物の耐久性に問題があること、出力１３００Ｗのモーターを家庭用コンセントで使用するため、ブレーカーの遮断に注意して粉砕作業を行なう必要があるという問題点がある。
【０００６】
【課題を解決するための手段】
本発明は、粉砕すべき被破砕物を装入するホッパーと、前記ホッパー下方に設けられ、粉砕された被破砕物を排出する排出用すべり台と、前記ホッパー下部と前記排出用すべり台上部の間において、被破砕物を粉砕する二枚の刃を持つ回転刃であって、回転平面の半径方向に沿って中心部から外周部に向って刃の部分が形成されているせん断回転刃と、前記回転刃を回転させる駆動源とを備えた破砕機を提供することにより上記課題を解決したものである。
【０００７】
【発明の効果】
本発明は、被破砕物を粉砕する二枚の刃を持つ回転刃であって、回転平面の半径方向に沿って中心部から外周部に向って刃の部分が形成されているせん断回転刃を備えた破砕機を提供し、前記せん断回転刃の刃数が、三または四枚持つこと、前記せん断回転刃の刃部分の形状が、刃部分に沿って三角状刃または波形状刃、さらには鎌形状刃であることを備えた破砕機を提供したことは、せん断刃による切断の特徴である刃物の切断速度が大きくなくても切断できることと構造的に丈夫な刃物を使用できることさらには被破砕物への刃物の食い込みを容易にしたことをもたらした。
【０００８】
以上の結果、モーターの回転数を減少させることにより刃物の周速度を従来品の１／５程度に減速させることが可能となり、騒音の発生を少なくすること、粉砕物の飛散を少なくし使用者に危険を感じさせなくなること、刃物の耐久性を増加させることができ、かつ出力の少ないモーターの使用を可能にした。
【０００９】
【実施例】
本発明の破砕機は、図１、図２および図６に示されるように、すべり台５の上面に固設された突き当り板部材３と、すべり台５に取り付けたホッパー１と、すべり台５の下部に取り付けられたモーター（駆動源）４と、すべり台５と突き当り板部材３を貫通する穴に接触することなく突き当り板部材３の上部まで突出したモーター（駆動源）回転軸に固定されているせん断回転刃２とを有し、搬送と転倒防止を可能とするため、２個の車輪１２を軸支したアーム（パイプ）１０と、足（パイプ）１１とを締結し、すべり台５下面に固着されている。
【００１０】
破砕部分は、平板状の突き当り板部材３と、平板でせん断回転刃２の回転半径より小さい直径の貫通穴を持ち貫通穴上部円周上に沿って円弧状面取りを施したガイド板７と、せん断回転刃２とから構成されている。せん断回転刃２は、図３および図４に示されるように、回転平面の半径方向に沿って中心部から外周部に向って刃の部分が形成されている。
【００１１】
本実施例では、二枚刃の場合を図３に示したが、三枚刃または四枚刃を持つせん断回転刃についても提案している。さらに、回転刃の刃部分の形状が、刃の長さ方向に沿って三角状刃または波形状刃、さらには鎌形状刃であるせん断回転刃についても提案している。
【００１２】
このように構成された破砕機は以下の如く作動する。
被破砕物６がホッパー１の上部より装入される。ただし、本実施例では、前記被破砕物とは、一般家庭での植木せん定によって排出された直径約２０ｍｍ以下のせん定枝のことである。自重あるいは押し込みによってホッパー１の下部に移動し、ガイド板７によって導かれた被破砕物６は、せん断回転刃２にて粉砕される。
【００１３】
粉砕の状態を詳しく説明する。ホッパー１の上部より俯瞰したときの被破砕物６、せん断回転刃２、ホッパーガイド穴１０１とガイド板７の位置関係ならびに被破砕物を粉砕させる方法を図５および図６に示す。ホッパー１内壁面に沿ってガイド板７に到達した被破砕物６は、ガイド板７の円弧状面取りに添って貫通穴に入り込みせん断回転刃２の上面より下方に被破砕物６の下端が達すると粉砕されることになる。この時には被破砕物６は、せん断回転刃２と、ガイド板７の貫通穴側面と、ホッパー１の下部のホッパーガイド穴１０１とで緩やかに拘束された状態になっているので、回転するせん断回転刃２によって、せん断回転刃２の上面より下方にある被破砕物６が切断されチップ８状に粉砕される。被破砕物６が突き当り板部材３の上面で突き当り、停止した場合には、突き当り板部材３の上面とせん断回転刃２の上面間の距離寸法にてチップ８状に粉砕されるのである。
【００１４】
ガイド板７および突き当り板部材３には、被破砕物６の破砕部分への誘導を容易にし、かつ耐摩耗性に優れた材質の材料を使用する必要があるため、本実施例ではポリアセタール系のジュラコン（商標）を使用している。
【００１５】
被破砕物の破砕にせん断回転刃を使用したせん断加工を導入したことは、切断加工の特徴である刃物の切断速度が大きくなくても切断できること、構造的に丈夫な刃物が使用できること、多様な形状を持つ刃の設計ができることを可能にした。
【００１６】
切断速度を減少できることから、毎分９００回転または毎分６００回転のモーター（駆動源）４と、直径１５０ｍｍの二枚刃のせん断回転刃２とを使用すると周速度を従来品の１／５程度に減速させることが可能となり、騒音の発生を少なくすること、粉砕物の飛散を少なくし使用者に危険を感じさせなくなること、刃物の耐久性を増加させることが可能となった。
【００１７】
さらに、強制的に被破砕物６を送り込むことなく被破砕物６の端面上での刃の上滑りが軽減され二枚の刃を持つ回転刃に拘ることなく、三または四枚持つせん断回転刃の使用が可能となった。また、せん断回転刃２の刃部分の形状が、刃部分に沿って三角状刃または波形状刃であることは、被破砕物６への刃物の食い込みを一層良くし、被破砕物６を確実に捕捉する効果がある。さらには鎌形状刃であることは、上記効果に加えて、回転刃のトルクが最大に発揮される回転刃の中心部への被破砕物６の引き込みをも可能にしている。
【００１８】
破砕している際には、粉砕されたチップ８は、図２に示されるように、傾斜してアーム（パイプ）１０に取り付けられたすべり台５の上面を自重と本破砕機全体から生じる振動により下方へ導かれ、破砕機外へ落下する。
【図面の簡単な説明】
【図１】本発明を実施した破砕機の一例を示す正面図である。
【図２】図１の側面図である。
【図３】せん断回転刃の平面図である。
【図４】図３のＡ−Ａ線における拡大断面図である。
【図５】ホッパー上部より俯瞰したときの、被破砕物、せん断回転刃、ホッパーガイド穴とガイド板の位置関係ならびに被破砕物を粉砕させる方法を示した要部説明図である。
【図６】図５のＢ―Ｂ線における要部断面図である。
【図７】回転刃が三角状刃であるせん断回転刃の一例である。
【図８】回転刃が波形状刃であるせん断回転刃の一例である。
【図９】回転刃が鎌形状刃であるせん断回転刃の一例である。
【符号の説明】
１・・・ホッパー
２・・・せん断回転刃
３・・・突き当り板部材
４・・・モーター（駆動源）
５・・・すべり台
６・・・被破砕物
７・・・ガイド板
８・・・チップ
１０・・・アーム（パイプ）
１１・・・足（パイプ）
１２・・・車輪
１３・・・スイッチ
１４・・・プラグ
１０１・・・ホッパーガイド穴
【図１】
2004057838.tif 000003
【図２】
2004057838.tif 000004
【図３】
2004057838.tif 000005
【図４】
2004057838.tif 000006
【図５】
2004057838.tif 000007
【図６】
2004057838.tif 000008
【図７】
2004057838.tif 000009
【図８】
2004057838.tif 000010
【図９】
2004057838.tif 000011